(57)【特許請求の範囲】
【請求項１】
各々１つ以上のレンズからなる複数のレンズ群の少なくとも一部を沈胴させて前記レンズ群を収納する沈胴状態から、前記レンズ群の少なくとも一部を対物側に移動することにより撮影状態とするレンズ鏡胴であって、
前記複数のレンズ群をレンズ群毎にそれぞれ保持する複数のレンズ保持枠と、前記レンズ保持枠を内部に保持する可動レンズ鏡筒と、前記可動レンズ鏡筒を介して前記レンズ保持枠を駆動するレンズ保持枠駆動手段と、を備えるレンズ鏡胴において、
前記レンズ保持枠は、
撮影状態では全てのレンズ群を同一の光軸上に位置させ、沈胴状態では前記レンズ群のうちの少なくとも１つのレンズ群からなる退避レンズ群を前記可動レンズ鏡筒のうち最も外径が大きい回転筒の外周よりも外側に退避させるべく、
前記少なくとも１つの退避レンズ群を保持する退避レンズ保持枠と、前記退避レンズ保持枠を一端に取着し且つ他端を中心とする回転動作および光軸方向に沿う進退動作を可能として設けられ、前記退避レンズ保持枠を移動させる退避レンズ移動枠と、
を含み、さらに
前記退避レンズ移動枠の回転軸近傍に設けられ、該退避レンズ移動枠を回動退避させるレバーと、
前記退避レンズ移動枠の回転軸近傍に設けられ、該退避レンズ移動枠に係合し、前記レンズ保持枠駆動手段に連動して、当該退避レンズ移動枠を光軸方向に沿って駆動するカム筒と、
を具備し、前記回転軸は前記回転筒の外周の外側に位置することを特徴とするレンズ鏡胴。
【請求項２】
前記レバーは、前記退避レンズ移動枠の回転中心の近傍に回転中心を持ち、前記可動レンズ鏡筒のうちの光軸周りに回転しながら光軸方向に移動する回転筒の動作に伴って、前記退避レンズ移動枠と係合および離間し、前記回転筒の収納動作で前記退避レンズ移動枠に係合して前記退避レンズ移動枠を退避させ、そして前記回転筒の繰り出し動作で前記退避レンズ移動枠から離間して前記退避レンズ移動枠の退避を解除することを特徴とする請求項１に記載のレンズ鏡胴。
【請求項３】
前記レバーと前記回転筒との係合にあたっては、前記回転筒の基端部から後方に突出した突出部が、前記レバーの側方に形成される摺動面に当接し該摺動面を摺動しつつ押圧することを特徴とする請求項２に記載のレンズ鏡胴。
【請求項４】
前記レバーには、該レバーを前記突出部へ押し付ける方向へ付勢する付勢部材を付設しており、前記回転筒の収納動作によって前記付勢部材がチャージされ、前記回転筒の繰り出し動作によって前記付勢部材に付勢されて前記レバーが当該レンズ鏡胴内へ回転駆動されることを特徴とする請求項３に記載のレンズ鏡胴。
【請求項５】
前記レバーは、光軸に平行な軸線に対して回転可能に且つ光軸方向については移動しないようにして、当該レンズ鏡胴のベース部材に支持されていることを特徴とする請求項１〜請求項４のいずれか１項に記載のレンズ鏡胴。
【請求項６】
前記レバーには、沈胴収納状態で前記退避レンズ移動枠を係止して、該退避レンズ移動枠の光軸方向に沿う移動を阻止するストッパーを設けていることを特徴とする請求項５に記載のレンズ鏡胴。
【請求項７】
前記退避レンズ移動枠には、前記退避レンズ群を退避側から光軸上へ向かう方向へ付勢し且つ光軸方向に沿って後方へ付勢するための付勢部材を付設しており、該退避レンズ移動枠は、前記回転筒の収納動作に伴って前記レバーにより前記付勢部材に抗して退避されるが、前記回転筒の繰り出し動作に伴って前記レバーが当該レンズ鏡胴内へ回転動作すると、前記付勢部材により付勢されて前記退避レンズ群を光軸上へ位置させることを特徴とする請求項１〜請求項６のいずれか１項に記載のレンズ鏡胴。
【請求項８】
前記カム筒は、前記可動レンズ鏡筒のうち光軸周りに回転しながら光軸方向に移動する回転筒を駆動する駆動系により前記回転筒と連動して回転駆動されることを特徴とする請求項１〜請求項７のいずれか１項に記載のレンズ鏡胴。
【請求項９】
前記カム筒は、外周面に前記退避レンズ移動枠に係合するカムを設けており、該カム筒が回転することで前記退避レンズ移動枠を光軸方向に移動させることを特徴とする請求項８に記載のレンズ鏡胴。
【請求項１０】
前記カムは、前記退避レンズ移動枠が前記退避レンズ群を光軸上に位置させている状態でのみ該退避レンズ移動枠に係合するように構成されていることを特徴とする請求項９に記載のレンズ鏡胴。
【請求項１１】
撮像用光学系として、請求項１〜請求項１０のいずれか１項のレンズ鏡胴を用いた光学系を含むことを特徴とする撮像装置。
【請求項１２】
カメラ機能部を有し、且つ前記カメラ機能部の撮像用光学系として、請求項１〜請求項１０のいずれか１項のレンズ鏡胴を用いた光学系を含むことを特徴とする電子機器。
【発明の詳細な説明】
【技術分野】
【０００１】
本発明は、一つの形態では、各々１つ以上のレンズからなる複数のレンズ群の少なくとも一部を沈胴して収納し、他の一つの形態では前記複数のレンズ群の少なくとも一部を所定位置まで繰り出して使用する、いわゆる沈胴式のレンズ鏡胴に係り、特に前記複数のレンズ群を相対的に移動させて焦点距離を変更するズームレンズに好適なレンズ鏡胴、並びに撮像用光学系としてそのようなレンズ鏡胴を用いる撮像装置および電子機器に関するものである。
【背景技術】
【０００２】
いわゆるディジタルカメラ等の撮像装置においては、焦点距離を変更可能なズームレンズ等の撮影レンズの高性能化およびユーザーの要求による小型化等の進展に伴い、撮影時以外にレンズ鏡胴の一部または全部が撮像装置本体内に収納される、いわゆる沈胴式の撮影レンズを用いるものが増加している。
さらには、単なる小型化ではなく、より一層の薄型化の要求により、沈胴収納状態でのレンズ鏡胴部分の厚み寸法を極限にまで減らすことが重要となってきている。このような撮像装置の薄型化の要求に対処するために、やはり沈胴式の構成を用いて薄型化を実現することが行われている。また、さらなる薄型化のために、沈胴収納状態で一部のレンズをレンズ鏡胴の外側へ退避させる構成が提案され、用いられている。
従来のこの種の沈胴式のレンズ構成の例が、特許文献１（特開２００６−１５４６７８号）、特許文献２（特開２００８−２６８６０５号）および特許文献３（特開２００８−２８１７７３号）等に開示されている。
特許文献１（特開２００６−１５４６７８号）に開示された構成では、光学系の一部のレンズ、フィルタ等を含む光学要素および撮像素子からなるユニットを、回転筒の回転動作によって、直線的に移動させ、レンズ鏡胴の外へ退避させて、沈胴収納状態での厚み寸法を減らすようにしている。
【０００３】
特許文献２（特開２００８−２６８６０５号）に開示された構成では、光学系の一部の退避レンズを、回転筒の回転動作による退避レンズ枠の回動によって、旋回移動させ、レンズ鏡胴の外へ退避させて、沈胴収納状態での厚み寸法を減らすようにしている。
特許文献３（特開２００８−２８１７７３号）に開示された構成では、光学系の一部の退避レンズを、回転筒の回転動作による退避レンズ枠の回動によって、旋回移動させ、レンズ鏡胴の外へ退避させて、さらに退避レンズ枠の回動の軸に垂直な軸を中心として回転させて沈胴収納状態での厚み寸法と横幅寸法を減らすようにしている。
【発明の概要】
【発明が解決しようとする課題】
【０００４】
しかしながら、特許文献１（特開２００６−１５４６７８号）の構成では、一部のレンズ、光学要素および撮像素子からなるユニットを、レンズ鏡胴の外へ退避させているため、退避のための移動量が大きく、鏡胴外にかなり大きなスペースも必要となる。また、退避レンズと光学要素のみならず、撮像素子をも退避させているため、撮像素子との間で電気信号をやりとりするためのフレキシブルケーブルも長くなり、ノイズの危険性やケーブルの取り回しスペースの問題も考慮する必要がある。
また、特許文献２（特開２００８−２６８６０５号）の構成では、退避レンズを支持している退避レンズ枠のみを退避させているが、退避レンズ枠が光軸上に位置した後の光軸方向の移動については、別途に設けたアクチュエータにより駆動されるため、コストや作動音および消費電力の問題を考慮する必要がある。
そして、特許文献３（特開２００８−２８１７７３号）の構成では、特許文献２の場合と同様に、退避レンズ枠が光軸上に位置した後は、別途にアクチュエータが必要となる。
【０００５】
本発明は、上述した事情に鑑みてなされたもので、退避レンズ群を支持する退避レンズ移動枠の光軸上の作動に、レンズ鏡胴の繰り出し動作に用いるのと同じアクチュエータを用いて、コスト、作動音および消費電力を下げることを可能とし、退避レンズ移動枠を退避させるレバーと退避レンズ移動枠とを別部材として、退避動作をスムーズに退避レンズ移動枠に伝えることを可能とするレンズ鏡胴、撮像装置および電子機器を提供することを目的としている。
すなわち、本発明の請求項１の目的は、収納状態と撮影状態との間で、退避レンズ移動枠をスムーズに移動させることを可能とするレンズ鏡胴を提供することにある。
また、本発明の請求項２の目的は、特に、別途にアクチュエータを追加することなく、退避レンズ移動枠の退避および光軸上への挿入の各動作を可能として、コストダウンおよび消費電力の低減を可能とするレンズ鏡胴を提供することにある。
本発明の請求項３の目的は、特に、退避レンズ移動枠の退避動作に係る力量低減および騒音低減を可能とするレンズ鏡胴を提供することにある。
本発明の請求項４の目的は、特に、レンズ鏡胴の繰り出し時に退避レンズ移動枠をスムーズに光軸上に移動させることを可能とするレンズ鏡胴を提供することにある。
【０００６】
本発明の請求項５の目的は、特に、撮影状態やズーム状態でも他の部品と干渉することなく、収納動作時にはどの状態からでも確実に作動させることを可能とするレンズ鏡胴を提供することにある。
本発明の請求項６の目的は、特に、沈胴収納状態での落下衝撃等の外力による退避レンズ移動枠の光軸方向の移動を防止し、繰り出し動作の開始によって退避レンズ移動枠を即座に作動させることを可能とするレンズ鏡胴を提供することにある。
本発明の請求項７の目的は、特に、沈胴収納動作時および繰り出し動作時に退避レンズ移動枠をスムーズに動作させることを可能とするレンズ鏡胴を提供することにある。
本発明の請求項８の目的は、特に、アクチュエータを別途に設けることなく、退避レンズ移動枠を光軸方向に移動させることができ、コストダウンおよび騒音低減を可能とするレンズ鏡胴を提供することにある。
本発明の請求項９の目的は、特に、少ない占有スペースで、退避レンズ移動枠を光軸方向に駆動することを可能とするレンズ鏡胴を提供することにある。
本発明の請求項１０の目的は、特に、退避レンズ移動枠の光軸方向に沿う移動時には、退避動作の機構が切り離され、光軸方向に沿う移動のための機構を小型化して、スペース効率を向上させることを可能とするレンズ鏡胴を提供することにある。
本発明の請求項１１の目的は、特に、退避レンズ移動枠を収納状態と撮影状態との間で、スムーズに移動させることを可能とする撮像装置を提供することにある。
本発明の請求項１２の目的は、特に、退避レンズ移動枠を収納状態と撮影状態との間で、スムーズに移動させることを可能とする電子機器を提供することにある。
【課題を解決するための手段】
【０００７】
請求項１に記載した本発明に係るレンズ鏡胴は、上述した目的を達成するために、
各々１つ以上のレンズからなる複数のレンズ群の少なくとも一部を沈胴させて前記レンズ群を収納する沈胴状態から、前記レンズ群の少なくとも一部を対物側に移動することにより撮影状態とするレンズ鏡胴であって、
前記複数のレンズ群をレンズ群毎にそれぞれ保持する複数のレンズ保持枠と、前記レンズ保持枠を内部に保持する可動レンズ鏡筒と、前記可動レンズ鏡筒を介して前記レンズ保持枠を駆動するレンズ保持枠駆動手段と、を備えるレンズ鏡胴において、
前記レンズ保持枠は、
撮影状態では全てのレンズ群を同一の光軸上に位置させ、沈胴状態では前記レンズ群のうちの少なくとも１つのレンズ群からなる退避レンズ群を前記可動レンズ鏡筒のうち最も外径が大きい回転筒の外周よりも外側に退避させるべく、前記少なくとも１つの退避レンズ群を保持する退避レンズ保持枠と、
前記退避レンズ保持枠を一端に取着し且つ他端を中心とする回転動作および光軸方向に沿う進退動作を可能として設けられ、前記退避レンズ保持枠を移動させる退避レンズ移動枠と、
を含み、さらに
前記退避レンズ移動枠の回転軸近傍に設けられ、該退避レンズ移動枠を回動退避させるレバーと、
前記退避レンズ移動枠の回転軸近傍に設けられ、該退避レンズ移動枠に係合し、前記レンズ保持枠駆動手段に連動して、当該退避レンズ移動枠を光軸方向に沿って駆動するカム筒と、
を具備し、前記回転軸は前記回転筒の外周の外側に位置することを特徴としている。
【０００８】
請求項２に記載した本発明に係るレンズ鏡胴は、請求項１のレンズ鏡胴であって、
前記レバーは、前記退避レンズ移動枠の回転中心の近傍に回転中心を持ち、前記可動レンズ鏡筒のうちの光軸周りに回転しながら光軸方向に移動する回転筒の動作に伴って、前記退避レンズ移動枠と係合および離間し、前記回転筒の収納動作で前記退避レンズ移動枠に係合して前記退避レンズ移動枠を退避させ、そして前記回転筒の繰り出し動作で前記退避レンズ移動枠から離間して前記退避レンズ移動枠の退避を解除することを特徴としている。
請求項３に記載した本発明に係るレンズ鏡胴は、請求項２のレンズ鏡胴であって、
前記レバーと前記回転筒との係合にあたっては、前記回転筒の基端部から後方に突出した突出部が、前記レバーの側方に形成される摺動面に当接し該摺動面を摺動しつつ押圧することを特徴としている。
請求項４に記載した本発明に係るレンズ鏡胴は、請求項３のレンズ鏡胴であって、
前記レバーには、該レバーを前記突出部へ押し付ける方向へ付勢する付勢部材を付設しており、前記回転筒の収納動作によって前記付勢部材がチャージされ、前記回転筒の繰り出し動作によって前記付勢部材に付勢されて前記レバーが当該レンズ鏡胴内へ回転駆動されることを特徴としている。
【０００９】
請求項５に記載した本発明に係るレンズ鏡胴は、請求項１〜請求項４のいずれか１項のレンズ鏡胴であって、
前記レバーは、光軸に平行な軸線に対して回転可能に且つ光軸方向については移動しないようにして、当該レンズ鏡胴のベース部材に支持されていることを特徴としている。
請求項６に記載した本発明に係るレンズ鏡胴は、請求項５のレンズ鏡胴であって、
前記レバーには、沈胴収納状態で前記退避レンズ移動枠を係止して、該退避レンズ移動枠の光軸方向に沿う移動を阻止するストッパーを設けていることを特徴としている。
請求項７に記載した本発明に係るレンズ鏡胴は、請求項１〜請求項６のいずれか１項のレンズ鏡胴であって、
前記退避レンズ移動枠には、前記退避レンズ群を退避側から光軸上へ向かう方向へ付勢し且つ光軸方向に沿って後方へ付勢するための付勢部材を付設しており、該退避レンズ移動枠は、前記回転筒の収納動作に伴って前記レバーにより前記付勢部材に抗して退避されるが、前記回転筒の繰り出し動作に伴って前記レバーが当該レンズ鏡胴内へ回転動作すると、前記付勢部材により付勢されて前記退避レンズ群を光軸上へ位置させることを特徴としている。
【００１０】
請求項８に記載した本発明に係るレンズ鏡胴は、請求項１〜請求項７のいずれか１項のレンズ鏡胴であって、
前記カム筒は、前記可動レンズ鏡筒のうち光軸周りに回転しながら光軸方向に移動する回転筒を駆動する駆動系により前記回転筒と連動して回転駆動されることを特徴としている。
請求項９に記載した本発明に係るレンズ鏡胴は、請求項８のレンズ鏡胴であって、
前記カム筒は、外周面に前記退避レンズ移動枠に係合するカムを設けており、該カム筒が回転することで前記退避レンズ移動枠を光軸方向に移動させることを特徴としている。
請求項１０に記載した本発明に係るレンズ鏡胴は、請求項９のレンズ鏡胴であって、
前記カムは、前記退避レンズ移動枠が前記退避レンズ群を光軸上に位置させている状態でのみ該退避レンズ移動枠に係合するように構成されていることを特徴としている。
請求項１１に記載した本発明に係る撮像装置は、
撮像用光学系として、請求項１〜請求項１０のいずれか１項のレンズ鏡胴を用いた光学系を含むことを特徴としている。
請求項１２に記載した本発明に係る電子機器は、
カメラ機能部を有し、且つ前記カメラ機能部の撮像用光学系として、請求項１〜請求項１０のいずれか１項のレンズ鏡胴を用いた光学系を含むことを特徴としている。
【発明の効果】
【００１１】
本発明によれば、退避レンズ群を支持する退避レンズ移動枠の光軸上の作動に、レンズ鏡胴の繰り出し動作に用いるのと同じアクチュエータを用いて、コスト、作動音および消費電力を下げることを可能とし、退避レンズ移動枠を退避させるレバーと退避レンズ移動枠とを別部材として、退避動作をスムーズに退避レンズ移動枠に伝えることを可能とするレンズ鏡胴、撮像装置および電子機器を提供することができる。
【００１２】
すなわち、本発明の請求項１のレンズ鏡胴によれば、
各々１つ以上のレンズからなる複数のレンズ群の少なくとも一部を沈胴させて前記レンズ群を収納する沈胴状態から、前記レンズ群の少なくとも一部を対物側に移動することにより撮影状態とするレンズ鏡胴であって、
前記複数のレンズ群をレンズ群毎にそれぞれ保持する複数のレンズ保持枠と、前記レンズ保持枠を内部に保持する可動レンズ鏡筒と、前記可動レンズ鏡筒を介して前記レンズ保持枠を駆動するレンズ保持枠駆動手段と、を備えるレンズ鏡胴において、
前記レンズ保持枠は、
撮影状態では全てのレンズ群を同一の光軸上に位置させ、沈胴状態では前記レンズ群のうちの少なくとも１つのレンズ群からなる退避レンズ群を前記可動レンズ鏡筒のうち最も外径が大きい回転筒の外周よりも外側に退避させるべく、前記少なくとも１つの退避レンズ群を保持する退避レンズ保持枠と、
前記退避レンズ保持枠を一端に取着し且つ他端を中心とする回転動作および光軸方向に沿う進退動作を可能として設けられ、前記退避レンズ保持枠を移動させる退避レンズ移動枠と、
を含み、さらに
前記退避レンズ移動枠の回転軸近傍に設けられ、該退避レンズ移動枠を回動退避させるレバーと、
前記退避レンズ移動枠の回転軸近傍に設けられ、該退避レンズ移動枠に係合し、前記レンズ保持枠駆動手段に連動して、当該退避レンズ移動枠を光軸方向に沿って駆動するカム筒と、
を具備し、前記回転軸は前記回転筒の外周の外側に位置することにより、
収納状態と撮影状態との間で、退避レンズ移動枠をスムーズに移動させることが可能となり、またレンズ鏡筒内にスペースが無くともレンズ退避が可能となり、鏡筒の小型化が可能となる。
【００１３】
すなわち、退避レンズ移動枠を退避させるレバーと退避レンズ移動枠を光軸方向に駆動するカム筒を備えたことで、退避レンズ移動枠を収納状態と撮影状態やズーム状態との間でスムーズに移動させることができ、また、退避レンズ群を可動レンズ鏡筒のうち最も外径が大きい回転筒の外周よりも外側に退避させることによりレンズ鏡筒内に退避スペースを設ける場合に比べ、鏡筒の大径化を回避することができる。
請求項２に記載した本発明に係るレンズ鏡胴は、請求項１のレンズ鏡胴において、
前記レバーは、前記退避レンズ移動枠の回転中心の近傍に回転中心を持ち、前記可動レンズ鏡筒のうちの光軸周りに回転しながら光軸方向に移動する回転筒の動作に伴って、前記退避レンズ移動枠と係合および離間し、前記回転筒の収納動作で前記退避レンズ移動枠に係合して前記退避レンズ移動枠を退避させ、そして前記回転筒の繰り出し動作で前記退避レンズ移動枠から離間して前記退避レンズ移動枠の退避を解除することにより、
特に、別途にアクチュエータを追加することなく、退避レンズ移動枠の退避および光軸上への挿入の各動作を可能として、コストダウンおよび消費電力の低減が可能となる。すなわち、退避レンズ移動枠を退避させるレバーを回転筒の作動により駆動するようにすることで、アクチュエータを追加せずに退避・挿入動作をさせて、コストダウンおよび消費電力を低減することが可能となる。
【００１４】
請求項３に記載した本発明に係るレンズ鏡胴は、請求項２のレンズ鏡胴において、
前記レバーと前記回転筒との係合にあたっては、前記回転筒の基端部から後方に突出した突出部が、前記レバーの側方に形成される摺動面に当接し該摺動面を摺動しつつ押圧することにより、
特に、退避レンズ移動枠の退避動作に係る力量低減および騒音低減が可能となる。すなわち、回転筒の基端部から後方に突出した部分でレバーの摺動面を押圧しつつ摺動して、退避のために要する力量を低減し、騒音を低減することができる。
請求項４に記載した本発明に係るレンズ鏡胴は、請求項３のレンズ鏡胴において、
前記レバーには、該レバーを前記突出部へ押し付ける方向へ付勢する付勢部材を付設しており、前記回転筒の収納動作によって前記付勢部材がチャージされ、前記回転筒の繰り出し動作によって前記付勢部材に付勢されて前記レバーが当該レンズ鏡胴内へ回転駆動されるようにすることにより、
特に、レンズ鏡胴の繰り出し時に退避レンズ移動枠をスムーズに光軸上に移動させることが可能となる。すなわち、レバーに付勢部材を設けることによって、レンズ鏡胴の繰り出し時に退避レンズ移動枠をスムーズに移動させて光軸上に位置させることができる。
【００１５】
請求項５に記載した本発明に係るレンズ鏡胴は、請求項１〜請求項４のいずれか１項のレンズ鏡胴において、
前記レバーは、光軸に平行な軸線に対して回転可能に且つ光軸方向については移動しないようにして、当該レンズ鏡胴のベース部材に支持されることにより、
特に、撮影状態やズーム状態でも他の部品と干渉することなく、収納動作時にはどの状態からでも確実に作動させることが可能となる。すなわち、レバーをベース部材に回転可能に設けることによって、撮影状態やズーム状態でも他の部品と干渉せず、収納動作時にはどの状態からでも確実に回転筒に当接係合させることができる。
請求項６に記載した本発明に係るレンズ鏡胴は、請求項５のレンズ鏡胴において、
前記レバーには、沈胴収納状態で前記退避レンズ移動枠を係止して、該退避レンズ移動枠の光軸方向に沿う移動を阻止するストッパーを設けることにより、
特に、沈胴収納状態での落下衝撃等の外力による退避レンズ移動枠の光軸方向の移動を防止し、繰り出し動作の開始によって退避レンズ移動枠を即座に作動させることが可能となる。すなわち、沈胴収納状態で退避レンズ移動枠を係止することによって、落下衝撃等の外力がレンズ鏡胴に加わっても退避レンズ移動枠が光軸方向に移動することなく、繰り出し動作の開始時に即座に作動させることができる。
【００１６】
請求項７に記載した本発明に係るレンズ鏡胴は、請求項１〜請求項６のいずれか１項のレンズ鏡胴において、
前記退避レンズ移動枠には、前記退避レンズ群を退避側から光軸上へ向かう方向へ付勢し且つ光軸方向に沿って後方へ付勢するための付勢部材を付設しており、該退避レンズ移動枠は、前記回転筒の収納動作に伴って前記レバーにより前記付勢部材に抗して退避されるが、前記回転筒の繰り出し動作に伴って前記レバーが当該レンズ鏡胴内へ回転動作すると、前記付勢部材により付勢されて前記退避レンズ群を光軸上へ位置させることにより、
特に、沈胴収納動作時および繰り出し動作時に退避レンズ移動枠をスムーズに動作させることが可能となる。すなわち、退避レンズ移動枠を光軸方向へ付勢するための付勢部材を設けるので、レバーが光軸方向へ移動したときに退避レンズ移動枠をスムーズに光軸上に位置させることができる。
請求項８に記載した本発明に係るレンズ鏡胴は、請求項１〜請求項７のいずれか１項のレンズ鏡胴において、
前記カム筒は、前記可動レンズ鏡筒のうち光軸周りに回転しながら光軸方向に移動する回転筒を駆動する駆動系により前記回転筒と連動して回転駆動されることにより、
特に、アクチュエータを別途に設けることなく、退避レンズ移動枠を光軸方向に移動させることができ、コストダウンおよび騒音低減が可能となる。すなわち、カム筒を回転筒の駆動部により、駆動されるようにすることで、別途にアクチュエータを設ける必要がなく、コストダウンを実現し、騒音を低減することができる。
【００１７】
請求項９に記載した本発明に係るレンズ鏡胴は、請求項８のレンズ鏡胴において、
前記カム筒は、外周面に前記退避レンズ移動枠に係合するカムを設けており、該カム筒が回転することで前記退避レンズ移動枠を光軸方向に移動させることにより、
特に、少ない占有スペースで、退避レンズ移動枠を光軸方向に駆動することが可能となる。すなわち、カム筒の回転動作に基づいて退避レンズ移動枠を光軸方向へ移動させるため、占有スペース低減することができる。
請求項１０に記載した本発明に係るレンズ鏡胴は、請求項９のレンズ鏡胴において、
前記カムは、前記退避レンズ移動枠が前記退避レンズ群を光軸上に位置させている状態でのみ該退避レンズ移動枠に係合するように構成されることにより、
特に、退避レンズ移動枠の光軸方向に沿う移動時には、退避動作の機構が切り離され、光軸方向に沿う移動のための機構を小型化して、スペース効率を向上させることが可能となる。すなわち、退避レンズ移動枠が光軸上に位置している間だけカム筒に係合させることで、退避動作の機構を簡素化し、カム筒を小さくすることができ、スペース効率を向上させる。
【００１８】
請求項１１に記載した本発明に係る撮像装置は、
撮像用光学系として、請求項１〜請求項１０のいずれか１項のレンズ鏡胴を用いた光学系を含むことにより、
特に、退避レンズ移動枠を収納状態と撮影状態との間で、スムーズに移動させることが可能となる。
請求項１２に記載した本発明に係る電子機器は、
カメラ機能部を有し、且つ前記カメラ機能部の撮像用光学系として、請求項１〜請求項１０のいずれか１項のレンズ鏡胴を用いた光学系を含むことにより、
特に、退避レンズ移動枠を収納状態と撮影状態との間で、スムーズに移動させることが可能となる。
【図面の簡単な説明】
【００１９】
【図１】本発明の一つの実施の形態に係るズームレンズとして構成されるレンズ鏡胴の要部を、レンズ鏡胴の背後、つまり撮像素子側から見た動作説明図であり、レンズ鏡胴を繰り出した撮影状態における背面図である。
【図２】図１のレンズ鏡胴の要部を、レンズ鏡胴の背後、つまり撮像素子側から見た動作説明図であり、退避沈胴動作を開始した状態における背面図である。
【図３】図１のレンズ鏡胴の要部を、レンズ鏡胴の背後つまり撮像素子側から見た動作説明図であり、退避沈胴動作が終了した沈胴収納状態における背面図である。
【図４】沈胴収納状態における図１のレンズ鏡胴の要部を含むディジタルカメラの要部である、いわばコアユニットを斜め前方から見た斜視図である。
【図５】撮影状態における図４のコアユニットを斜め前方から見た斜視図である。
【図６】図４のコアユニットの主としてレンズ鏡胴部分を分解して示す分解斜視図である。
【図７】沈胴収納状態における退避レンズ移動枠周辺を含む図４のレンズ鏡胴の要部を、レンズ鏡胴の斜め前方から見た斜視図である。
【図８】沈胴収納状態における退避レンズ移動枠周辺を含む図４のレンズ鏡胴の要部を、レンズ鏡胴の正面前方から見た正面図である。
【図９】退避レンズ移動枠が光軸位置に達した状態における退避レンズ移動枠周辺を含む図４のレンズ鏡胴の要部を、レンズ鏡胴の斜め前方から見た斜視図である。
【図１０】退避レンズ移動枠が光軸位置に位置する撮影状態における退避レンズ移動枠周辺を含む図４のレンズ鏡胴の要部を、レンズ鏡胴の斜め前方から見た斜視図である。
【図１１】退避レンズ移動枠を光軸方向に駆動するカム筒と該カム筒による退避レンズ移動枠の動作を説明するための模式図である。
【図１２】図１〜図１１のレンズ鏡胴に用いられる退避レンズ移動枠を駆動するためのレバーの形状を説明するための図であり、（ａ）は、レンズ鏡胴の斜め前方から見た斜視図、そして（ｂ）はその反対側の斜め前方から見た斜視図である。
【図１３】図１〜図１１のレンズ鏡胴に用いられる退避レンズ移動枠の形状を説明するための斜め前方から見た斜視図である。
【発明を実施するための形態】
【００２０】
以下、本発明に係る実施の形態に基づき、図面を参照して本発明のレンズ鏡胴を詳細に説明する。
図１〜図１２は、本発明の一つの実施の形態に係るレンズ鏡胴を用いたディジタルカメラの要部である、いわばコアユニットの構成を示している。
図１〜図３は、撮影状態から沈胴収納状態への移行を示すレンズ鏡胴の後方から見た要部の図であり、図１は、レンズ鏡胴を繰り出した撮影状態における背面図、図２は、退避沈胴動作を開始した状態における背面図、そして図３は、退避沈胴動作が終了した沈胴収納状態における背面図である。図４は、沈胴収納状態における当該レンズ鏡胴のコアユニットの外観を示す斜視図、図５は、撮影状態における当該レンズ鏡胴のコアユニットの外観を示す斜視図、そして図６は、当該レンズ鏡胴の分解斜視図である。
図７は、沈胴収納状態における当該レンズ鏡胴の退避レンズ群に関連する要部のみを示す斜め前方から見た斜視図、図８は、図７に示す沈胴収納状態における当該レンズ鏡胴の退避レンズ群に関連する要部を正面前方つまり被写体側から見た正面図、図９は、退避レンズ移動枠が光軸上に位置した瞬間の状態を示す当該レンズ鏡胴の退避レンズ群に関連する要部を示す斜め前方から見た斜視図、図１０は、撮影状態における当該レンズ鏡胴の退避レンズ群に関連する要部を示す斜め前方から見た斜視図、そして図１１は、退避レンズ移動枠とカムとの関係を模式的に示す図である。
【００２１】
なお、図１２は当該レンズ鏡胴において、退避レンズ移動枠を退避駆動するためのレバーの詳細な形状を示しており、（ａ）は、レンズ鏡胴の斜め前方から見た斜視図、そして（ｂ）はその反対側の斜め前方から見た斜視図である。図１３は、当該レンズ鏡胴に用いられる退避レンズ移動枠の詳細な形状を示す斜め前方から見た斜視図である。
図１〜図１２に示すレンズ鏡胴を含むコアユニットは、第１群レンズ系１１、第２群レンズ系１２、第３群レンズ系（退避レンズ群）１３、シャッタユニット１５、バリアユニット２１、小回転筒２２、小ライナー部材２３、第１群レンズ保持枠２４、第２群レンズ保持枠２５、大回転筒２６、大ライナー部材２７、固定枠３１、ベース部材３２、レンズ退避部蓋３３、レンズ退避部枠３４、ズームモータ３５、ズームギヤ列３６、退避レンズ移動枠４１、退避レンズ保持枠４２、圧縮トーションバネ４３、第３群主軸４４、第３群副軸４５、レバー５１、圧入軸５２、トーションバネ５３、レバー副軸５４、カムギヤ６１およびカム筒６２を具備している。
なお、フォーカシングについては、明確に図示してはいないが、別途にフォーカスレンズを設けて、撮影状態において光軸に沿って進退移動させるようにしてもよく、第１群レンズ系１１〜第３群レンズ系１３の少なくとも一部を撮影状態において光軸に沿って進退移動させるように構成してもよい。
【００２２】
レンズ鏡胴を含むコアユニット全体は、図６に示すように、第１群レンズ系１１、第２群レンズ系１２、第３群レンズ系（退避レンズ群）１３、シャッタユニット１５、バリアユニット２１、小回転筒２２、小ライナー部材２３、第１群レンズ保持枠２４、第２群レンズ保持枠２５、大回転筒２６、大ライナー部材２７、固定枠３１、ベース部材３２、レンズ退避部蓋３３、レンズ退避部枠３４、ズームモータ３５、ズームギヤ列３６、退避レンズ移動枠４１、退避レンズ保持枠４２、圧縮トーションバネ４３、第３群主軸４４、第３群副軸４５、レバー５１、圧入軸５２、トーションバネ５３、レバー副軸５４、カムギヤ６１およびカム筒６２を有して構成している。
このレンズ鏡胴における大回転筒２６、小回転筒２２および小ライナー部材２３等の可動レンズ鏡筒の繰り出しにあたっては、ズームモータ３５を回転させ、この回転によって、大回転筒２６および小回転筒２２を回転駆動すると、小ライナー部材２３により回転規制された第１群レンズ保持枠２４、第２群保持枠２５およびシャッタユニット１５が繰り出され、撮影状態となる。なお、小回転筒２２の内側面には、第１群レンズ保持枠２４、第２群レンズ保持枠２５およびシャッタユニット１５に設けられたカムフォロワが係合して、摺動するカムが形成されている。また、上述した撮影状態から沈胴収納状態への移行は、ズームモータ３５を繰り出し時とは逆方向に回転させることによって沈胴収納する。
【００２３】
図７および図８は、沈胴収納状態の様子を示している。図１３に示すように、退避レンズ群である第３群レンズ系１３は、退避レンズ保持枠４２に固定保持されており、退避レンズ保持枠４２は、退避レンズ移動枠４１の一端（回動端）近傍に固定支持されている。退避レンズ移動枠４１は、その基端近傍において第３群主軸４４を中心として光軸Ｏが垂直に交わる面内で回転可能に、且つ光軸方向に沿って移動可能として、第３群主軸４４に支持されている。すなわち、第３群主軸４４を中心として回転可能に、且つ第３群主軸４４に沿って移動可能に支持された退避レンズ移動枠４１の回動端部近傍に退避レンズ保持枠４２を介して第３群レンズ系１３が支持されている。また、第３群主軸４４は、その両端がレンズ退避部蓋３３およびレンズ退避部枠３４に支持されている。
また、図７〜図１２に示すように、退避レンズ移動枠４１には、圧縮トーションバネ４３が付設されている。この圧縮トーションバネ４３は、一端が退避レンズ移動枠４１に係止され、他端は、レンズ退避部蓋３３に係止されていて、退避レンズ保持枠４２を退避位置から光軸上位置へ挿入させる方向に退避レンズ移動枠４１を付勢している。また、図１２に示すような形状のレバー５１は、圧入軸５２によって、レンズ退避部枠３４に回転動作のみ可能な状態として支持されており、トーションバネ５３によって、退避位置から光軸上位置へ向かう方向に付勢されている。
【００２４】
レバー５１には、退避レンズ移動枠４１の光軸に沿う方向への移動を規制するストッパ部５１ａが設けられている。また、退避レンズ保持枠４２を光軸上に位置させるための位置決め用として退避レンズ移動枠４１を当接させる第３群副軸４５と、レバー５１の位置をレンズ鏡胴内で安定させるために当接させるレバー副軸５４とが、ベース部材３２（図６参照）に立設固定されている。
沈胴収納状態では、レバー５１は、大回転筒２６により詳細を後述するように駆動されて、大回転筒２６の外側に、大回転筒２６の外周にほぼ接するように位置している。また、退避レンズ移動枠４１は、レバー５１に押し出されて、同様に大回転筒２６の外側の退避位置に位置させられている。
沈胴収納状態から撮影状態への移行は、ズームモータ３５を駆動することによって大回転筒２６を回転させるが、この間の回転伝達系の途中のズームギヤ列３６により駆動されてカムギヤ６１も回転する。カムギヤ６１の前面側には、カム筒６２が一体的に設けられており、カム筒６２の表面には、一条の溝状のカム（カム溝）６２ａが形成されている。沈胴収納状態では、カム６２ａと退避レンズ移動枠４１とは係合しておらず、退避レンズ移動枠４１は作動しない。
【００２５】
ズームモータ３５を駆動して、大回転筒２６を回転させると、大回転筒２６は、光軸Ｏを中心として回転繰り出しされる。図９に示すように、レバー５１と退避レンズ移動枠４１との係合が外れるとレバー５１は、トーションバネ５３の付勢力により圧入軸５２を中心として回転して、レバー副軸５４に当接して係止される。退避レンズ移動枠４１は、レバー５２により押圧されなくなると、圧縮トーションバネ４３の付勢力によって第３群主軸４４を中心に回転し、第３群副軸４５に当接して係止される。このとき、退避レンズ保持枠４１は、第３群レンズ系１３を光軸Ｏ上に位置させた状態に保持する。また、このとき、退避レンズ移動枠４１の基端に突出するカムフォロア４１ａ（図１１参照）は、カム筒６２のカム６２ａに係合する。
さらに、ズームモータ３５を回転させると、撮影状態に移行するが、そのときは、図１０のようにカム筒６２がさらに回転され、退避レンズ移動枠４１は、カム６２ａによって光軸に沿う方向に移動させられる。退避レンズ移動枠４１は、圧縮トーションバネ４３によって第３群副軸４５に圧接した状態で付勢されているため、第３群レンズ系１３は光軸上を移動する（図１１参照）。第１群レンズ系１１、第２群レンズ系１２およびシャッタユニット１５は、明確には図示していないが、大回転筒２６の回転に伴って、小回転筒２２の内周面のカムにより光軸上を移動して撮影状態となる。
【００２６】
撮影状態から沈胴収納状態への移行は、要部を背後の像面側から見た図１〜図３に示すようにして行われる。図１に示すような撮影状態から、ズームモータ３５を逆回転させると、大回転筒２６が図１に示す矢印方向に回転される。同時にカムギヤ６１も逆回転され、カム６２ａにより退避レンズ移動枠４１は、光軸方向に沿って後方へ移動される。
大回転筒２６の端部には、後方へ突出する突出部２６ａが形成されており、大回転筒２６の回転によってレバー５１に近付く方向に移動する。大回転筒２６の回転が進むと図１２に示すようにレバー５１の摺動部５１ｂに当接し、さらに大回転筒２６が回転されると、レバー５１は圧入軸５２を中心に回転される。レバー５１が回転されると、退避レンズ移動枠４１を第３群主軸４４を中心として大回転筒２６の外側まで回転させられ、大回転筒２６の外形（この場合は、ギヤ）によって収納退避位置で安定する。
図１２は、レバー５１の詳細図であるが、回転中心である圧入軸５２により光軸方向へは移動せず、光軸が垂直に交わる面内で回転する。レバー５１には、トーションバネ５３がかけられており、このトーションバネ５３の一端はレバー５１に、他端は圧入軸５２の切り欠き部５２ａにかけられている。大回転筒２６に当接するレバー５１の面５１ｂは摺動面であり、大回転筒２６の突出部２６ａが係合して摺動する。レバー５１の反対の面には収納状態で退避レンズ移動枠４１の光軸方向への移動を規制するストッパ５１ａが形成されている。
さらに、上述したレンズ鏡胴を撮像光学系として設けて、ディジタルカメラまたはそれ以外の撮像装置を構成するようにしてもよい。また、撮像機能を有する携帯用情報端末装置等の電子機器に、撮像用光学系として上述したようなレンズ鏡胴を設けるようにしてもよい。
【符号の説明】
【００２７】
１１  第１群レンズ系
１２  第２群レンズ系
１３  第３群レンズ系（退避レンズ群）
１５  シャッタユニット
２１  バリアユニット
２２  小回転筒
２３  小ライナー部材
２４  第１群レンズ保持枠
２５  第２群レンズ保持枠
２６  大回転筒
２７  大ライナー部材
３１  固定枠
３２  ベース部材
３３  レンズ退避部蓋
３４  レンズ退避部枠
３５  ズームモータ
３６  ズームギヤ列
４１  退避レンズ移動枠
４２  退避レンズ保持枠
４３  圧縮トーションバネ
４４  第３群主軸
４５  第３群副軸
５１  レバー
５２  圧入軸
５３  トーションバネ
５４  レバー副軸
６１  カムギヤ
６２  カム筒
【先行技術文献】
【特許文献】
【００２８】
【特許文献１】特開２００６−１５４６７８号公報
【特許文献２】特開２００８−２６８６０５号公報
【特許文献３】特開２００８−２８１７７３号公報
【図１】
0005773238.tif 000002
【図２】
0005773238.tif 000003
【図３】
0005773238.tif 000004
【図４】
0005773238.tif 000005
【図５】
0005773238.tif 000006
【図６】
0005773238.tif 000007
【図７】
0005773238.tif 000008
【図８】
0005773238.tif 000009
【図９】
0005773238.tif 000010
【図１０】
0005773238.tif 000011
【図１１】
0005773238.tif 000012
【図１２】
0005773238.tif 000013
【図１３】
0005773238.tif 000014